(57)【要約】【課題】精度の高いレプリカを生成し、高い信号検出精度を得ることができる受信装置を得ること。【解決手段】多値シンボルを階層化された複数のサブシンボルとみなして等化および干渉成分除去処理を行う受信装置であって、処理対象の層に信号精度の高い層を順次追加して処理対象の層として指示するレプリカ生成制御部９と、指示に基づいてサブシンボルレプリカを生成するサブシンボルレプリカ生成部８と、サブシンボルレプリカに基づいて伝送路推定を行うチャネル推定処理部４と、を備え、推定結果に基づいて等化処理を行い、サブシンボルレプリカに基づいて干渉成分除去処理を行う。【選択図】        図３
2010034672.tif 000002
【特許請求の範囲】
【請求項１】
多値変調された受信信号の１シンボルを階層化された複数のサブシンボルとみなして、前記階層化の層単位で等化処理と干渉成分除去処理とを行う受信装置であって、
信号精度の最も高い層を前記各処理の処理対象として指示し、前記指示に基づく処理の終了後に、前記処理対象の層に前記処理対象の層以外の層の中で次に信号精度の高い層を追加し、信号精度の高い順に２つの層を次の処理対象として指示し、以降、前記階層化の全層が処理対象となるまで、前回の処理対象の層に対して次に信号精度の高い層を追加した結果を、処理対象として指示する制御手段と、
前記指示に基づいて処理対象の層のサブシンボルのレプリカであるサブシンボルレプリカを生成するサブシンボルレプリカ生成手段と、
前記サブシンボルレプリカに基づいて伝送路推定を行う伝送路推定手段と、
を備え、
前記伝送路推定手段の推定結果に基づいて前記等化処理を行い、前記サブシンボルレプリカに基づいて前記干渉成分除去処理を行うことを特徴とする受信装置。
【請求項２】
前記信号精度を前記サブシンボルごとの振幅、受信後のＳＮＲ（Signal  to  noise  power  ratio）、ＳＩＮＲ（Signal  to  interference  plus  noise  power  ratio）または信頼度情報に基づいて決定することを特徴とする請求項１に記載の受信装置。
【請求項３】
処理対象ごとに前記等化処理と前記干渉成分除去処理とを所定の回数にわたって繰り返し実行することを特徴とする請求項１または２に記載の受信装置。
【請求項４】
前記サブシンボルレプリカ生成手段は、さらに前記受信信号の軟判定結果として得られる信頼度情報に基づいてサブシンボルレプリカを生成することを特徴とする請求項１、２または３に記載の受信装置。
【請求項５】
前記サブシンボルレプリカ生成手段は、さらに前記受信信号の誤り訂正復号結果として得られる信頼度情報に基づいてサブシンボルレプリカを生成することを特徴とする請求項１、２または３に記載の受信装置。
【請求項６】
前記多値変調された受信信号の１シンボルをＱＡＭシンボルとし、前記サブシンボルをＱＰＳＫシンボルとすることを特徴とする請求項１〜５のいずれか１つに記載の受信装置。
【請求項７】
多値変調された受信信号の１シンボルを階層化された複数のサブシンボルとみなして、前記階層化の層単位で等化処理と干渉成分除去処理とを行う場合における復調方法であって、
信号精度の最も高い層を前記各処理の処理対象として指示し、前記指示に基づく処理の終了後に、前記処理対象の層に前記処理対象の層以外の層の中で次に信号精度の高い層を追加し、信号精度の高い順に２つの層を次の処理対象として指示し、以降、前記階層化の全層が処理対象となるまで、前回の処理対象の層に対して次に信号精度の高い層を追加した結果を、処理対象として指示する制御ステップと、
前記指示に基づいて処理対象の層のサブシンボルのレプリカであるサブシンボルレプリカを生成するサブシンボルレプリカ生成ステップと、
前記サブシンボルレプリカに基づいて伝送路推定を行う伝送路推定ステップと、
前記伝送路推定の推定結果に基づいて前記等化処理を行う等化処理ステップと、
前記サブシンボルレプリカに基づいて前記干渉成分除去処理を行う干渉成分除去ステップと、
を含むこと特徴とする復調方法。
【発明の詳細な説明】
【技術分野】
【０００１】
本発明は、変調信号を受信して復調する受信装置および復調方法に関する。
【背景技術】
【０００２】
多値シンボルを用いたＭＩＭＯ伝送では、アンテナ間干渉等の影響で信号検出精度が大きく劣化し、それと共に伝送特性が劣化する。これらの劣化を解決するために、繰り返しＭＩＭＯ等化と干渉キャンセルを用いることによって信号検出精度を改善する必要がある。従来の等化／干渉キャンセルとして、たとえば、下記非特許文献１に記載されているように、信号検出精度を向上させるために、ＭＩＭＯ（Multiple  Input  Multiple  Output）等化と干渉キャンセルを繰り返し行っている。
【０００３】
下記非特許文献１に記載の技術では、ＱＡＭ（Quadrature  Amplitude  Modulation）シンボルを複数のＱＰＳＫ（Quadrature  Phase  Shift  Keying）サブシンボルが階層化されたものとしてみなし、繰り返し復調処理を各送信アンテナおよび各層について並列に行っている。初回の処理では、受信信号に対してＭＩＭＯ等化のみが行われ、送信アンテナおよび層ごとに並列に軟判定を実施する。その後、誤り訂正復号器を介して信頼度情報を得て、その信頼度情報を次の繰り返し復調に必要となるＱＰＳＫサブシンボルレプリカに変換する。
【０００４】
このようにして得られたレプリカは送信アンテナおよび層の繰り返し復調で共有され、これらのレプリカを利用してＭＩＭＯ等化と干渉キャンセルによる繰り返し復調処理が送信アンテナおよび層ごとに行われる。ある送信アンテナについての希望とする層を対象とした干渉キャンセル処理では、他アンテナからのＱＡＭシンボルと希望の層を除く他の層のＱＰＳＫサブシンボルとを干渉成分と見なし、ＭＩＭＯ等化後の受信信号からレプリカを用いた干渉成分の減算操作を行う。同様の干渉キャンセル処理を送信アンテナおよび層ごとに実行する。その後、送信アンテナおよび層ごとに再び軟判定を行い、上記の復調処理を既定回数分だけ繰り返している。
【０００５】
【非特許文献１】“Adaptive  Transmission  With  Single-Carrier  MultilevelBICM”，Matsumoto．T，Ibi．S，Sampei．S，Thoma  R，Proceedings  of  the  IEEE  Volume  95，Issue  12，Dec.2007  pp.2354-2367
【発明の開示】
【発明が解決しようとする課題】
【０００６】
しかしながら、上記従来の非特許文献１に記載の技術によれば、階層化されたＱＰＳＫサブシンボルの信号検出精度の差異を考慮せずに、全層のサブシンボル単位すなわちＱＡＭシンボル単位でレプリカを用いている。なお、サブシンボルの階層構造では、上層ほどＱＰＳＫサブシンボルの信号判定精度が悪く（上層ほど振幅が小さいとする）、レプリカ生成精度も低いという特徴がある。このため、上層では低精度なサブシンボルレプリカを生成して使用することになり、それによって干渉キャンセルの際に生じる干渉成分の除去誤差が大きく、良好な信号検出精度が得られない、という問題があった。
【０００７】
本発明は、上記に鑑みてなされたものであって、多値シンボルを階層化されたサブシンボルとして復調する場合に、信号判定精度の低い層の誤差の影響を低減し、高い信号検出精度を得ることができる受信装置および復調方法を得ることを目的とする。
【課題を解決するための手段】
【０００８】
上述した課題を解決し、目的を達成するために、本発明は、多値変調された受信信号の１シンボルを階層化された複数のサブシンボルとみなして、前記階層化の層単位で等化処理と干渉成分除去処理とを行う受信装置であって、信号精度の最も高い層を前記各処理の処理対象として指示し、前記指示に基づく処理の終了後に、前記処理対象の層に前記処理対象の層以外の層の中で次に信号精度の高い層を追加し、信号精度の高い順に２つの層を次の処理対象として指示し、以降、前記階層化の全層が処理対象となるまで、前回の処理対象の層に対して次に信号精度の高い層を追加した結果を、処理対象として指示する制御手段と、前記指示に基づいて処理対象の層のサブシンボルのレプリカであるサブシンボルレプリカを生成するサブシンボルレプリカ生成手段と、前記サブシンボルレプリカに基づいて伝送路推定を行う伝送路推定手段と、を備え、前記伝送路推定手段の推定結果に基づいて前記等化処理を行い、前記サブシンボルレプリカに基づいて前記干渉成分除去処理を行うことを特徴とする。
【発明の効果】
【０００９】
この発明によれば、多値変調されたシンボルをサブシンボルに階層化して復調を行う場合に、干渉成分のレプリカの精度が最も高いと推定される層についてはじめに信号処理／干渉キャンセルの処理対象とし、以下、レプリカの精度が高いと推定される順に処理対象の層を順次追加して信号処理／干渉キャンセルを行うようにしたので、階層化されたＱＰＳＫサブシンボルのレプリカ生成低精度な上層についても精度の高いレプリカを生成することができ、高い信号検出精度を得ることができる、という効果を奏する。また、信号検出精度を高めることができるため、送信電力を抑えた通信に適用することができる。
【発明を実施するための最良の形態】
【００１０】
以下に、本発明にかかる受信装置および復調方法の実施の形態を図面に基づいて詳細に説明する。なお、この実施の形態によりこの発明が限定されるものではない。
【００１１】
実施の形態．
図１は、本発明にかかる復調方法の実施の形態の処理手順の一例を示すフローチャートである。本実施の形態では、２2MＱＡＭシンボルを用いた例について説明する。
【００１２】
図２は、２2MＱＡＭシンボルのシンボル階層化の一例を示す図である。図２に示すように、本実施の形態では、２2MＱＡＭシンボルを信号電力の異なるＭ個のＱＰＳＫシンボルが階層化されたシンボルとして考える。すなわち、振幅の大きい順に第０層から第（Ｍ−１）層までの階層化されたＱＰＳＫシンボル（サブシンボル）と考える。サブシンボルの階層化では、上層ほどＱＰＳＫサブシンボルの信号判定精度が悪く、レプリカ生成精度も低いという特徴がある。本実施の形態では、信号検出精度の高い下層のＱＰＳＫシンボルから信号検出／レプリカ生成と干渉キャンセル処理を優先的に実行することにより、ＱＡＭシンボル全体の信号検出精度を保ちつつ信号検出／レプリカ生成の対象層の範囲を徐々に拡大していく。これにより、従来技術で生じていた低精度レプリカによる干渉成分除去誤差の増大を避け効果的に干渉成分を抑圧することができる。
【００１３】
また、ここでは、一例として、周波数領域等化を用いたシングルキャリア変調方式を適用した場合について説明するが、等化の方式は周波数領域等化に限定されるものではなく、また、変調方式がシングルキャリア変調に限定されるものではない。また、この例ではマルチアンテナを用いた場合について述べるが、マルチアンテナに限定されるものではない。さらに、光通信にも適用可能であり、無線通信に限定されるものではない。
【００１４】
なお、本実施の形態では、ＱＡＭシンボルを例にあげて説明するが、これに限らず、多値ＰＳＫでも、２ビット以上のシンボルであれば、階層化可能である。また、階層化した後の層の数と割当ビット数が、ＱＡＭまたはＰＳＫの合計ビット数を満足するように階層化ができる場合には、ビット数も任意に設定可能であり、演算量と特性の観点から柔軟に階層化の方式設計ができる。
【００１５】
つづいて、図１を用いて本実施の形態の復調方法について説明する。まず、最下層である第０層を処理対象として等化／干渉キャンセル処理を行う（ステップＳ１）。つぎに、第０層から第１層までを処理対象とした等化／干渉キャンセル処理，第０層から第２層までを処理対象とした等化／干渉キャンセル処理，…と順に処理対象の層を増やし、第０層から第（Ｍ−１）層を処理対象とする等化／干渉キャンセル処理まで順に処理を行う。ここでは、第０層〜第ｍ層（０＜ｍ＜（Ｍ−１））を処理対象とする処理について、処理内容を詳細に説明することとする。
【００１６】
なお、ここでは、階層ごとに振幅が一定とし、振幅の大きい層がレプリカの精度が高いとしているが、層ごとの振幅が一定でない場合には、精度の良い層から順に第０層、第１層、…とし、同様に第０層から処理対象の層を順に増やしていくようにすればよい。
【００１７】
第０層〜第ｍ層（０＜ｍ＜（Ｍ−１））を処理対象とする等化／干渉キャンセル処理の前に、第０層を処理対象とする等化／干渉キャンセル処理（ステップＳ１）から、第０層〜第（ｍ−１）層を処理対象とする信号検出／レプリカ生成処理（ステップＳ２）まで、が行われているとする。
【００１８】
つぎに、第０層〜第ｍ層を処理対象とする信号検出／レプリカ生成処理（ステップＳ３）として、まず、つぎのように周波数領域等化処理を行い、等化後の受信信号を得る（ステップＳ１１）。なお、初回の周波数領域等化処理では、受信信号にＦＦＴ（Fast  Fourier  Transform）処理を実施し、周波数領域信号に変換しておくこととする。本実施の形態では、信号検出／レプリカ生成を繰り返し行うこととし、繰り返しの回数をｉmaxとする。ｉ（１≦ｉ≦ｉmax）番目の繰り返し処理のｆ番目の周波数のｔ番目の送信アンテナの等化後受信信号は、Ｗ（ｆ）ti,mを第０〜ｍ層を信号検出／レプリカ生成対象としたときの繰り返しｉ回目のｔ番目の送信アンテナ用等化重みベクトルとし、Ｒ（ｆ）を受信信号ベクトルとするとき、以下の式（１）に基づいて求めることができる。
【００１９】
【数１】
2010034672.tif 000003
【００２０】
なお、Ｗ（ｆ）ti,mは、（．）Hをエルミート転置操作，（．）-1を逆行列操作とし、Ｓを送信電力，σ2を雑音電力，Ｈ（ｆ）を伝送路推定によって得られるチャネル利得行列とし、Ｇi,mを残留干渉電力推定値が配列される行列とするとき、以下の式（２）に基づいて求めることができる。
【００２１】
【数２】
2010034672.tif 000004
【００２２】
Ｇi,mは、送信アンテナ本数分の行列サイズを持つ対角行列であり、各対角要素に対応する送信アンテナの残留干渉電力推定値が配列される。残留干渉電力推定値は、後段の干渉キャンセル処理で低減できない干渉電力推定値に相当する値であり、前回の繰り返し（ｉ−１）回目の信号検出／レプリカ生成で生成された第０〜ｍ層のサブシンボルレプリカから算出することができる。周波数領域等化では、その残留干渉電力分のみを干渉抑圧し、余った自由度をアンテナ・周波数ダイバーシチ利得獲得のために動作させている。
【００２３】
つぎに、ステップＳ１１で得た等化後受信信号から干渉レプリカを減算する干渉キャンセル処理を周波数領域で実行する（ステップＳ１２）。具体的には、たとえば、Ｈiバー（ｆ）を送信アンテナ本数を要素数とした等価チャネル横ベクトルとし、Ｄi,mハット（ｆ）を送信アンテナ本数を要素数としたレプリカ縦ベクトルとするとき、以下の式（３）に基づいて干渉キャンセル処理後の受信信号を求める。
【００２４】
【数３】
2010034672.tif 000005
【００２５】
レプリカ縦ベクトルは、後述のステップＳ１８のＦＦＴ処理によって得られる周波数領域のサブシンボルレプリカに基づいて求める。レプリカ縦ベクトルＤi,mハット（ｆ）の各要素は、各送信アンテナの第０〜ｍ層のサブシンボルレプリカが多重されている。ｔ番目のアンテナのＤi,mハット（ｆ）に相当するＤti,mハット（ｆ）は、Ｄt,m'i,mハット（ｆ）を信号検出／レプリカ生成対象を第０〜ｍ層とした場合の繰り返しｉ回目のｔ番目の送信アンテナの第ｍ’層の周波数領域レプリカとするとき、以下の式（４）で表すことができる。
【００２６】
【数４】
2010034672.tif 000006
【００２７】
つぎに、干渉キャンセル処理後の受信信号に対してＩＦＦＴ（Inverse  Fast  Fourier  Transform）処理を実施し（ステップＳ１３）、ＩＦＦＴ後の受信信号に基づいて処理対象の層について軟判定を実施し、信頼度情報を算出して算出した信頼度を判定帰還させる（ステップＳ１４）。そして、ｉがｉmaxに等しいか否かを判定し（ステップＳ１５）、等しくない場合（ステップＳ１５  Ｎｏ）には、ｉ＝ｉ＋１とし（ステップＳ１６）、帰還された信頼度情報を用いて処理対象層のサブシンボルレプリカを生成する（ステップＳ１７）。サブシンボルレプリカをＦＦＴ処理して、周波数領域のサブシンボルレプリカとし（ステップＳ１８）、ステップＳ１１に戻りステップＳ１１以降の処理を繰り返す。このとき、ステップＳ１８で算出したサブシンボルレプリカを前述のステップＳ１２の干渉キャンセル処理に用いる。また、ステップＳ１１で用いる残留干渉電力推定値についてもステップＳ１７またはＳ１８で算出したサブシンボルレプリカに基づいて求める。
【００２８】
ステップＳ１５で、ｉがｉmaxに等しいと判定した場合（ステップＳ１５  Ｙｅｓ）には、第０〜（ｍ＋１）層を処理対象とした処理（ステップＳ４）に進む。そして、第０〜（Ｍ−１）層を処理対象とした処理（ステップＳ５）まで、順次処理対象の層を増やしてステップＳ３と同様の処理を実施する。このようにして、最終的に全層についての信号検出／干渉キャンセル処理が終了する。
【００２９】
なお、上記の説明では、ｉが２以上の場合の処理について説明したが、ｉ＝１、すなわち、初回の繰り返し処理では、周波数領域のサブシンボルレプリカが得られていないため、ステップＳ１２を行わず、ステップＳ１１からステップＳ１３に進み、ステップＳ１１で求めた受信信号についてステップＳ１３以降の処理を行う。また、ステップＳ１，Ｓ２およびステップＳ４，５の処理は、処理対象が異なるだけでステップＳ３の処理と同様である。
【００３０】
また、本実施の形態では、レプリカ生成のために軟判定出力を信頼度情報として用いたが、レプリカ生成のために用いる信頼度情報はこれに限らず他の方法により求めたものを用いてもよい。
【００３１】
従来の技術では低精度サブシンボルレプリカを使用することにより干渉成分を十分に低減できなかったが、以上の処理により、サブシンボルレプリカの生成精度の高い層から逐次に等化／干渉キャンセル処理を行うことによって、低精度サブシンボルレプリカの使用に起因する誤差を避けることができ、高精度な信号検出が可能となる。
【００３２】
図３は、本実施の形態の復調方法を実現する受信装置の機能構成例を示す図である。図３に示すように、この受信装置は、受信アンテナ１−１〜１−Ｎ，アナログ信号処理部２−１〜２−Ｎ，Ａ／Ｄ変換部３−１〜３−Ｎ，チャネル推定処理部４，周波数領域等化処理部５，干渉キャンセル部６，軟判定部７，サブシンボルレプリカ生成部８，レプリカ生成制御部９，誤り訂正復号器１０で構成される。
【００３３】
この受信装置の受信動作について説明する。まず、送信された信号をＮ本の受信アンテナ１−１〜１−Ｎがそれぞれ受信し、対応する受信信号に対してアナログ信号処理部２−１〜２−Ｎがそれぞれ所定のアナログ受信処理を行う。そして、Ａ／Ｄ（Analog／Digital）変換部３−１〜３−Ｎが、受信処理後のアナログ信号をそれぞれデジタル信号に変換し、時間領域受信サンプルとする。チャネル推定部４は、Ａ／Ｄ変換部３−１〜３−Ｎから出力される時間領域受信サンプルに基づいて伝送路推定値を求める。
【００３４】
周波数領域等化処理部５は、Ａ／Ｄ変換部３−１〜３−Ｎから出力される時間領域受信サンプルとチャネル推定処理部４が求めた伝送路推定値に基づいて各送信アンテナから送信された送信信号に対する周波数領域等化処理を行う。周波数領域等化処理部５以降の処理では、上述のように、まず、第０層を処理対象とし、以下、処理対象とする層を逐次増加させ、また、対象とする層について信号検出／干渉キャンセルの処理を繰り返し行う。周波数領域等化処理部５は、初回の繰り返し処理では、時間領域受信サンプルにＦＦＴ処理を実施し、周波数領域の受信信号としてから周波数領域等化処理を行う。
【００３５】
処理対象とする層についての、初回の繰り返し処理では、軟判定部７が周波数領域等化処理後の受信信号に対してＩＦＦＴ処理を実施後、各送信アンテナの送信信号に対する軟判定処理を実施し、信頼度情報を得る。２回目以降の繰り返し処理では、周波数領域等化処理後に、干渉キャンセル部６が、上述のステップＳ１２の干渉キャンセル処理を行った後に、軟判定部７が干渉キャンセル処理後の受信信号について軟判定処理を実施し、信頼度情報を得る。
【００３６】
軟判定部７は、得られた信頼度情報をサブシンボルレプリカ生成部８に出力し、サブシンボルレプリカ生成部８は、レプリカ生成制御部９からの指示に基づいて処理対象の層のサブシンボルレプリカを生成する。なお、レプリカ生成制御部９は、処理対象となる層を順次サブシンボルレプリカ生成部８に指示するとともに、生成されたレプリカを管理する。すなわち、レプリカ生成制御部９は、信号検出／干渉キャンセル処理の処理対象の層を管理する全体の制御手段と考えることができる。そして、サブシンボルレプリカ生成部８は、生成したサブシンボルレプリカを周波数領域等化部５と干渉キャンセル部６に帰還させる。
【００３７】
図４は、周波数領域等化部５の機能構成例を示す図である。周波数領域等化部５は、図４に示すように、残留干渉電力計算部５１と等化重み計算部５２と等化重み乗算部５３とで構成される。残留干渉電力計算部５１は、サブシンボルレプリカを用いて残留干渉電力値を推定し、その推定結果と伝搬路推定値を用いて等化重み計算部５２が等化重みを計算する。そして、等化重み乗算部５３が、上述のステップＳ１１で説明した周波数領域等化を行う。
【００３８】
図５は、干渉キャンセル部６の機能構成例を示す図である。図５に示すように、干渉キャンセル部６は、干渉キャンセル部６１，干渉レプリカ生成部６２で構成される。干渉レプリカ生成部６２は、前回の繰り返しで得られたサブシンボルレプリカと伝送路推定値と等化重みとを用いて受信信号の干渉成分のレプリカである干渉レプリカを生成し、干渉レプリカに対してＦＦＴ処理を行って周波数領域の干渉レプリカとし、干渉キャンセル部６１が、上述のステップＳ１２で説明したように、周波数領域等化処理後の受信信号から周波数領域の干渉レプリカを減算する（干渉キャンセル処理）。
【００３９】
軟判定部７は、干渉キャンセル処理後の受信信号を用いて再び軟判定を行い、信頼度情報を求め、再び信頼度情報をサブシンボルレプリカ生成部８に出力する。そして、周波数領域等化処理を所定の回数（上述のｉmax）繰り返した後、処理対象とする層を１層増やして、同様の処理を行い、以下、順次処理対象とする層を１層ずつ増やし、処理対象が第０〜第（Ｍ−１）層となるまで同様の処理を行う。
【００４０】
なお、本実施の形態では、軟判定出力を用いてサブシンボルレプリカを生成しているが、これに限らず、誤り訂正符号の復号結果を用いてサブシンボルレプリカを生成するようにしてもよい。図６は、誤り訂正符号の復号結果を用いてサブシンボルレプリカを生成する受信装置の構成例を示す図である。図６に示すように、この受信装置では、図３の周波数領域等化処理部５，サブシンボルレプリカ生成部８を、それぞれ等化処理部１１，サブシンボルレプリカ生成部８ａに替えている。そして、サブシンボルレプリカ生成部８ａは、誤り訂正復号器１０の復号結果を用いてサブシンボルレプリカを生成する。等化処理部１１の処理は、周波数領域等化部５の処理と同様である。また、これ以外の処理は図３の受信装置と同様である。
【００４１】
また、軟判定出力を用いたサブシンボルレプリカの生成と、誤り訂正符号の復号結果を用いたサブシンボルレプリカの生成とを切り替えて実施するようにしてもよい。図７は、軟判定出力を用いたサブシンボルレプリカの生成と誤り訂正符号の復号結果を用いたサブシンボルレプリカの生成とを切り替えて実施する受信装置の構成例を示す図である。図７に示す受信装置では、図６の受信装置の等化処理部１１，サブシンボルレプリカ生成部８ａを、それぞれ等化処理部１１ａ，サブシンボルレプリカ生成部８ｂに替え、切替器１２を追加している。切替器１２を切り替えることにより、サブシンボル生成部８ｂへの入力を軟判定出力とターボ復号の復号結果とで切り替えることができる。
【００４２】
図７に示したような構成とすると、たとえば、符号化率を変えるような適応変調等を採用する場合に、符号化率の低い場合には誤り訂正復号器１０からの信頼度情報を帰還させ、符号化率の高い場合には軟判定部７からの軟判定出力を帰還させるような、符号化率に応じた処理を実施することができる。また、自動再送要求等の再送に応じて処理を切り替えることもできる。また、早い応答が要求される場合には、軟判定部７からの軟判定出力を帰還させ、多少の遅延が許される場合には、誤り訂正復号器１０より帰還させるというように、アプリケーションの要求仕様に基づいて切り替えることもできる。さらには、このような切り替えとレプリカ生成制御部９が指示する制御内容を変更することで、より柔軟なシステム設計を行うことも可能である。
【００４３】
このように、本実施の形態では、多値変調されたシンボルをサブシンボルに階層化して復調を行う場合に、干渉成分のレプリカの精度が最も高いと推定される層についてはじめに信号処理／干渉キャンセルの処理対象とし、以下、レプリカの精度が高いと推定される順に処理対象の層を追加し、信号処理／干渉キャンセルを行うようにした。このため、低精度サブシンボルレプリカの使用に起因する誤差を避けることができ、高精度な信号検出が可能となる。また、信号検出精度を高めることができるため、送信電力を抑えた通信に適用することができ、通信システム全体としての省エネルギー化を図ることができる。
【産業上の利用可能性】
【００４４】
以上のように、本発明にかかる受信装置および復調方法は、変調信号を受信して復調する受信装置に有用であり、特に、多値シンボルを階層化サブシンボルとして復調する受信装置に適している。
【図面の簡単な説明】
【００４５】
【図１】本発明にかかる復調方法の実施の形態の処理手順の一例を示すフローチャートである。
【図２】２2MＱＡＭシンボルのシンボル階層化の一例を示す図である。
【図３】本発明の復調方法を実現する受信装置の機能構成例を示す図である。
【図４】周波数領域等化部の機能構成例を示す図である。
【図５】干渉キャンセル部の機能構成例を示す図である。
【図６】ターボ復号の復号結果を用いてサブシンボルレプリカを生成する受信装置の構成例を示す図である。
【図７】軟判定出力を用いたサブシンボルレプリカの生成とターボ復号の復号結果を用いたサブシンボルレプリカの生成とを切り替えて実施する受信装置の構成例を示す図である。
【符号の説明】
【００４６】
１−１〜１−Ｎ  受信アンテナ
２―１〜２−Ｎ  アナログ信号処理部
３−１〜３−Ｎ  Ａ／Ｄ変換部
４  チャネル推定処理部
５  周波数領域等化処理部
６  干渉キャンセル部
７  軟判定部
８，８ａ，８ｂ  サブシンボルレプリカ生成部
９  レプリカ生成制御部
１０  誤り訂正復号器
１１，１１ａ  等化処理部
【図１】
2010034672.tif 000007
【図２】
2010034672.tif 000008
【図３】
2010034672.tif 000009
【図４】
2010034672.tif 000010
【図５】
2010034672.tif 000011
【図６】
2010034672.tif 000012
【図７】
2010034672.tif 000013